(57)【特許請求の範囲】
【請求項１】
物品収納部の開口を閉じた閉成位置および該開口を開く開放位置の間を、対向設置された一対のガイドレールに沿ってスライド移動可能に配設されるシャッタであって、
スライド移動方向に沿う端縁が対応のガイドレールにスライド移動可能に支持され、該ガイドレールに合わせて屈伸変形するシャッタ基材と、
スライド移動方向における一端側だけを前記シャッタ基材に固定して該シャッタ基材に重ねて設けられ、可撓性を有するパッド部材と、
前記パッド部材における前記スライド移動方向に沿う側面に設けられ、該スライド移動方向へ前記シャッタ基材と平行に延在する被係止部と、
前記シャッタ基材に設けられ、スライド移動方向と直交すると共に前記シャッタ基材およびパッド部材の重なり方向において該パッド部材が該シャッタ基材から離れる方向で前記被係止部に引掛かる一方、該パッド部材のスライド移動方向の移動を許容する係止部とを備え、
前記係止部は、前記シャッタ基材から離間して形成されて、該シャッタ基材とで前記被係止部を挟持する係止片を備える
ことを特徴とするシャッタ。
【請求項２】
前記パッド部材は、前記係止片を挟んで前記被係止部に相対する当接部を備え、
前記当接部は、前記シャッタ基材が前記閉成位置での姿勢において前記係止片に接触し、該シャッタ基材が前記開放位置に向けスライド移動して前記閉成位置から外れた位置において、該閉成位置での姿勢から変形すると該係止片から離れるように形成された請求項１記載のシャッタ。
【請求項３】
前記パッド部材におけるスライド移動方向に沿う各側面は、前記シャッタ基材に当接する下面側から上面側に近づくにつれて互いに離れるように斜めに設けられ、
前記パッド部材の各側面には、該側面から凹むと共にスライド移動方向へ延在して前記係止片が突入する溝部が形成され、
前記被係止部は、前記パッド部材の下面と前記溝部との間に、スライド移動方向へ延在するよう形成されて、前記シャッタ基材と前記係止片との間に係止される請求項１または２記載のシャッタ。
【請求項４】
前記シャッタ基材は、スライド移動方向に並べて設けられた複数の支持体部と、隣り合う支持体部の間に両支持体部を繋ぐように形成されて屈曲変形可能なヒンジ部とを備え、
前記係止部は、前記支持体部のうちの選択された支持体部に、前記スライド移動方向に沿って直列に設けられた請求項１〜３の何れか一項に記載のシャッタ。
【発明の詳細な説明】
【技術分野】
【０００１】
本発明は、対向設置された一対のガイドレールに沿ってスライド移動可能に配設されるシャッタに関するものである。
【背景技術】
【０００２】
例えば、図１０に示すように、自動車の乗員室内に設置されるフロアコンソールＦＣでは、上方に開口した物品収納部１０２がコンソール本体１００の内部に画成されており、該物品収納部１０２の上部開口１０４を開閉する蓋部材としてシャッタＳ１を採用したものがある。前記シャッタＳ１は、フロアコンソールＦＣ内において物品収納部１０２を挟んで左右に対向して配設された一対のガイドレールＧＲ１,ＧＲ２に、一端部に設けた摺動支持部９４および他端部に設けた摺動支持部９４を夫々係合させることで、該ガイドレールＧＲ１,ＧＲ２に沿って前後方向のスライド移動が可能となっている。
【０００３】
前記一対のガイドレールＧＲ１,ＧＲ２は、図１０に示すように、幅方向において対称形状に形成されており、物品収納部１０２の上部開口１０４の側縁に前後方向へ水平に延在する直線部１１０と、該直線部１１０の後部から所定の曲率で物品収納部１０２の後側下方へ円弧状に湾曲する曲線部１１２とを備えている。従って前記シャッタＳ１は、物品収納部１０２の上部開口１０４を閉じる閉成位置ではコンソール本体１００の上面に略水平かつ平坦状に延在し、該上部開口１０４を開く開放位置では該コンソール本体１００の後側内部に湾曲状態で収納されるため、平坦状態と湾曲状態とに変形することが要求される。またシャッタＳ１は、物品収納部１０２の上部開口１０４を閉じた状態において、上面に物品や腕(肘)を載せたり、乗員室に乗降する際に手を着く等の使用態様が起こり得る。このためシャッタＳ１は、湾曲状態への変形を可能とする可撓性および荷重を支える剛性の両方を兼備する必要がある。
【０００４】
そこで、従来のシャッタＳ１は、図１１および図１２に示すように、軟質樹脂(熱可塑性エラストマ等)により成形されたプレート部材８０と、この軟質樹脂より硬い硬質樹脂(ポリエチレンやポリプロピレン等)から成形されたリブ部材９０とを備えている。前記プレート部材８０は、セル部８２と該セル部８２より薄いヒンジ部８４とがスライド方向に交互に形成されており、各ヒンジ部８４において弾力的な湾曲変形が可能となっている。また、各リブ部材９０は、前記セル部８２に沿って延在するリブ部９２と、該リブ部９２の一端部および他端部の夫々に設けた摺動支持部９４,９４とを備えている。従ってシャッタＳ１は、各リブ部材９０の各摺動支持部９４,９４を、対応するガイドレールＧＲ１,ＧＲ２の溝部１１４に係合させることで、該ガイドレールＧＲ１,ＧＲ２に沿ったスライド移動が可能となる。
【０００５】
しかし、前記従来のシャッタＳ１は、図１１および図１２に示すように、ヒンジ部８４を形成することによる凹凸がプレート部材８０の表面に形成されているので質感が高くない。また、プレート部材８０を形成する前記軟質樹脂は、内部に空隙を有さない所謂ソリッドタイプであるから、荷重が加わった際に圧縮変形するほどの柔軟性は備えていない。このため、物品収納部１０２を閉じた平坦状態のシャッタＳ１の上面に腕(肘)を載せた場合には、プレート部材８０が殆ど圧縮変形しないから該シャッタＳ１をアームレストとして使用するには硬すぎる問題がある。そこで、前記シャッタＳ１におけるプレート部材８０の表面に、適宜の表皮材を直接貼付けるようにしたシャッタも提案されている(特許文献１)。
【先行技術文献】
【特許文献】
【０００６】
【特許文献１】特表２０１０−５１０１３５号公報
【発明の概要】
【発明が解決しようとする課題】
【０００７】
ところで、前述した表皮材をプレート部材８０の表面に装着して構成されるシャッタＳ１では、該プレート部材８０を内側にして湾曲状態に変形するに際して内側の該プレート部材８０と外側の表皮材との間に周長差が生ずることから、ゴムの如く伸縮変形に富む素材から形成された表皮材を使用しなければならない。換言すると、伸縮変形し難い素材からなる表皮材をプレート部材８０に装着した場合には、シャッタＳ１の湾曲状態への変形が阻害されて該シャッタＳ１の開閉操作に係る荷重が増加して開閉し難くなったり、当該表皮材がプレート部材８０から剥離する問題が発生する。また、伸縮変形に富む素材から形成された表皮材を使用した場合には、シャッタＳ１が湾曲状態と平坦状態との間で変形を繰り返すと該表皮材が伸びた状態となって弛みや皺が発生する問題が発生する。特に、表皮材の厚みが大きくなるほど、前述した問題が発生し易い。
【０００８】
従って本発明では、開閉操作を軽い力で行なうことができるシャッタを提供することを目的とする。
【課題を解決するための手段】
【０００９】
前記課題を解決し、所期の目的を達成するため、本願の請求項１に記載の発明では、物品収納部の開口を閉じた閉成位置および該開口を開く開放位置の間を、対向設置された一対のガイドレールに沿ってスライド移動可能に配設されるシャッタであって、
スライド移動方向に沿う端縁が対応のガイドレールにスライド移動可能に支持され、該ガイドレールに合わせて屈伸変形するシャッタ基材と、
スライド移動方向における一端側だけを前記シャッタ基材に固定して該シャッタ基材に重ねて設けられ、可撓性を有するパッド部材と、
前記パッド部材における前記スライド移動方向に沿う側面に設けられ、該スライド移動方向へ前記シャッタ基材と平行に延在する被係止部と、
前記シャッタ基材に設けられ、スライド移動方向と直交すると共に前記シャッタ基材およびパッド部材の重なり方向において該パッド部材が該シャッタ基材から離れる方向で前記被係止部に引掛かる一方、該パッド部材のスライド移動方向の移動を許容する係止部とを備え、
前記係止部は、前記シャッタ基材から離間して形成されて、該シャッタ基材とで前記被係止部を挟持する係止片を備えることを要旨とする。
【００１０】
従って、請求項１に係る発明によれば、シャッタ基材に重ねて設けられたパッド部材は、スライド移動方向における一端側だけがシャッタ基材に固定されると共に、シャッタ基材に設けた係止部により、シャッタ基材から離れる方向の移動が規制されると共にスライド移動方向の移動が許容されている。従って、シャッタ基材がガイドレールに合わせて屈伸変形する際には、パッド部材がシャッタ基材に対してスライド移動方向へ移動して、該パッド部材がスライド移動方向へ引っ張られないので、シャッタの湾曲状態への変形が阻害され難く、シャッタの開閉操作を軽い力で行ない得る。また、パッド部材がシャッタ基材に重ねて配設されているので、シャッタ基材がパッド部材で隠されてシャッタの質感を高めることができる。
そして、パッド部材におけるスライド移動方向に沿う側面にスライド移動方向へ延在するように設けた被係止部に、シャッタ基材に設けた係止部の係止片が係止するので、パッド部材の側面側がシャッタ基材から離間して捲れることが防止され、パッド部材をシャッタ基材に接触した状態で適切に保持することができる。
【００１１】
請求項２に記載の発明では、前記パッド部材は、前記係止片を挟んで前記被係止部に相対する当接部を備え、
前記当接部は、前記シャッタ基材が前記閉成位置での姿勢において前記係止片に接触し、該シャッタ基材が前記開放位置に向けスライド移動して前記閉成位置から外れた位置において、該閉成位置での姿勢から変形すると該係止片から離れるように形成されたことを要旨とする。
従って、請求項２に係る発明によれば、シャッタ基材が閉成位置での姿勢では、係止片を被係止部および当接部で挟持し得るので、パッド部材をシャッタ基材に対して適切に保持し得る。また、シャッタ基材がスライド移動して閉成位置での姿勢から変形した場合には、係止片が被係止部および当接部で挟持されないので、シャッタ基材に対するパッド部材のスライド移動方向への移動が阻害されない。
【００１２】
請求項３に記載の発明では、前記パッド部材におけるスライド移動方向に沿う各側面は、前記シャッタ基材に当接する下面側から上面側に近づくにつれて互いに離れるように斜めに設けられ、
前記パッド部材の各側面には、該側面から凹むと共にスライド移動方向へ延在して前記係止片が突入する溝部が形成され、
前記被係止部は、前記パッド部材の下面と前記溝部との間に、スライド移動方向へ延在するよう形成されて、前記シャッタ基材と前記係止片との間に係止されることを要旨とする。
従って、請求項３に係る発明によれば、シャッタ基材と係止部の係止片との間に係止された被係止部が、該シャッタ基材から離れる方向への移動は規制されるが、スライド移動方向への移動は許容される。
【００１３】
請求項４に記載の発明では、前記シャッタ基材は、スライド移動方向に並べて設けられた複数の支持体部と、隣り合う支持体部の間に両支持体部を繋ぐように形成されて屈曲変形可能なヒンジ部とを備え、
前記係止部は、前記支持体部のうちの選択された支持体部に、前記スライド移動方向に沿って直列に設けられたことを要旨とする。
従って、請求項４に係る発明によれば、シャッタ基材が各ヒンジ部の弾性変形により屈伸変形しても、支持体部に設けた各係止部がパッド部材を係止しているので、該パッド部材はシャッタ基材の変形に追従して適切に変形する。また、係止部がヒンジ部にかかるように設けられていないので、シャッタ基材の屈伸変形が阻害されない。
【発明の効果】
【００１４】
本発明に係るシャッタによれば、パッド部材がシャッタ基材に対して移動し得るようになっているので、開閉操作を軽い力で行なうことができる。
【図面の簡単な説明】
【００１５】
【図１】実施例のシャッタの斜視図である。
【図２】平坦状態となった実施例のシャッタの側面図である。
【図３】図２のIII−III線断面図である。
【図４】シャッタ基材の１つの支持体部を示す斜視図である。
【図５】シャッタ基材の各支持体部の両端に設けた摺動支持部を示す部分拡大図である。
【図６】シャッタ基材に設けられた係止爪部と、パッド部材に設けられた係止突片部および当接突部とを示す説明図であって、(ａ)は、シャッタ基材の平坦状態を示し、(ｂ)は、シャッタ基材の湾曲状態を示している。
【図７】湾曲状態に変形した実施例のシャッタの側面図である。
【図８】実施例のシャッタをフロアコンソールの蓋部材として実施した状態を示す説明斜視図である。
【図９】係止手段の変更例を示す説明断面図である。
【図１０】従来のシャッタをフロアコンソールの蓋部材として実施した状態を示す説明斜視図である。
【図１１】従来のシャッタの斜視図である。
【図１２】従来のシャッタの側面図である。
【発明を実施するための形態】
【００１６】
次に、本発明に係るシャッタにつき、好適な実施例を挙げて、添付図面を参照しながら以下説明する。実施例では、図８に示すように、フロアコンソールＦＣの蓋部材として実施されるシャッタを例示して説明するが、本願のシャッタが実施される対象は、このフロアコンソールＦＣに限定されない。なお実施例では、図１に示すように、シャッタＳが水平かつ平坦状態において、該シャッタＳのスライド移動方向を「長さ方向」、スライド移動方向と水平に直交する方向(両ガイドレールＧＲ１,ＧＲ２の対向方向)を「幅方向」、スライド移動方向と垂直に直交する方向を「重なり方向」と指称する。また、重なり方向においては、上側をシャッタＳの表側、下側を該シャッタＳの裏側とする。
【実施例】
【００１７】
実施例のシャッタＳが配設されるフロアコンソールＦＣは、図８に示すように、コンソール本体１００における前後方向の後側内部に、上方に開口した物品収納部１０２が画成されており、該物品収納部１０２の上部開口１０４を該シャッタＳで開閉可能に覆蓋するようになっている。実施例のシャッタＳは、コンソール本体１００内に、該コンソール本体１００の前後方向に延在すると共に物品収納部１０２を挟んで該コンソール本体１００の幅方向に対向するよう配設された一対のガイドレールＧＲ１,ＧＲ２に、後述する各摺動支持部３０,３０を各々係合させることで、該ガイドレールＧＲ１,ＧＲ２に沿ったスライド移動が可能となっている。
【００１８】
各ガイドレールＧＲ１,ＧＲ２は、図８に示すように、幅方向において対称形状に形成されており、物品収納部１０２の上部開口１０４の側縁に前後方向へ水平に延在する直線部１１０と、該直線部１１０の後部から所定の曲率で物品収納部１０２の後側下方へ円弧状に湾曲する曲線部１１２とを備えている。各ガイドレールＧＲ１,ＧＲ２は、互いに対向する内側面に、直線部１１０から曲線部１１２に亘って延在する溝部１１４が形成されており、各溝部１１４に前記摺動支持部３０,３０が突入して係合する。
【００１９】
実施例のシャッタＳは、図１〜図７に示すように、スライド方向に沿う各端が対応のガイドレールＧＲ１,ＧＲ２にスライド移動可能に支持され、該ガイドレールＧＲ１,ＧＲ２に合わせて伸びた状態と曲がった状態とに屈伸変形するシャッタ基材ＳＢと、前記シャッタ基材ＳＢの表面側に該シャッタ基材ＳＢと重ねて装着されるパッド部材ＰＤとを備えている。実施例のシャッタＳは、パッド部材ＰＤにおける長さ方向の一端側である前側部分だけを固定部分ＰＤａとしてシャッタ基材ＳＢに固定し、該パッド部材ＰＤにおける固定部分ＰＤａ以外の非固定部分ＰＤｂは、該シャッタ基材ＳＢに非固定状態となっている。そして、パッド部材ＰＤの非固定部分ＰＤｂは、後述する係止手段６０により、シャッタ基材ＳＢに係止されている。このようなシャッタＳは、シャッタ基材ＳＢが屈伸変形すると共にパッド部材ＰＤが該シャッタ基材ＳＢに追従して変形することで、物品収納部１０２の上部開口１０４を閉じた閉成位置において平坦状態となり、該上部開口１０４を開く開放位置において湾曲状態に変形する。
【００２０】
前記シャッタ基材ＳＢは、長さ方向に並べて設けられて、当該シャッタに加わる荷重を支える支持体部１０と、隣り合う支持体部１０の間に両支持体部１０,１０を繋ぐように形成されたヒンジ部２０と、各支持体部１０における一方のガイドレールＧＲ１に対向する一端部１０Ａおよび他方のガイドレールＧＲ２に対向する他端部１０Ｂの夫々に設けた摺動支持部３０,３０とを備えている。そしてシャッタ基材ＳＢは、前記支持体部１０、ヒンジ部２０および摺動支持部３０を、１種類の同一の成形材料によりインジェクション成形型を用いて１工程で一体成形された成形部材である。なお成形材料としては、硬質のポリエチレン(ＰＥ)やポリプロピレン(ＰＰ)等の合成樹脂が好適に採用される。
【００２１】
シャッタ基材ＳＢは、合計２１個の支持体部１０が長さ方向に並べて設けられており、幅方向において対称形状に形成されている。各支持体部１０は、図２、図３および図４に示すように、両ガイドレールＧＲ１,ＧＲ２の間隔に適合する長さで、幅方向へ細長い形状でヒンジ部２０からシャッタＳの裏側へ突出した形状に形成されている。各支持体部１０は、シャッタＳの表面を構成する板部１２と、シャッタＳの幅方向へ延在する第１梁部１４および該第１梁部１４と長さ方向へ離間しかつ平行に延在する第２梁部１６と、第１梁部１４および第２梁部１６を連設する複数の連設部１８とを備えている。各連設部１８は、第１梁部１４および第２梁部１６の間において幅方向へ所要間隔毎に配設されている。従って支持体部１０は、第１梁部１４と第２梁部１６との間に空間が画成された所謂梯子状のリブ構造体として構成されている。
【００２２】
第１梁部１４および第２梁部１６は、図３および図４に示すように、シャッタＳの長さ方向において対称となる形状に形成されており、該シャッタＳの長さ方向での幅寸法に対して該シャッタＳの重なり方向での高さ寸法が大きく設定されている。そして、第１梁部１４および第２梁部１６は、幅方向において４等分に便宜的に区切った場合に、中央寄りの２区分に対応する部分において高さが最大に形成され、当該支持体部１０の一端部１０Ａ側および他端部１０Ｂ側において高さが最小に形成されている。更に、第１梁部１４および第２梁部１６における一端部１０Ａ側の部分では、中央側から該一端部１０Ａに近づくにつれて高さが徐々に小さくなるように傾斜状に形成されていると共に、他端部１０Ｂ側の部分では、中央側から該他端部１０Ｂに近づくにつれて高さが徐々に小さくなるように傾斜状に形成されている。従って、リブ構造体として構成された支持体部１０は、両梁部１４,１６間が硬質樹脂で埋まった形状の場合と同等の剛性が確保されており、幅方向における中間部に対し上方から荷重が加わっても、幅方向での撓み変形や捻れ変形が発現し難い。そして各支持体部１０は、図２に示すように、シャッタＳの長さ方向での幅寸法が、ヒンジ部２０側(板部１２側)が最大となるように形成され、重なり方向においてヒンジ部２０から離れるにつれて徐々に小さくなり、ヒンジ部２０と反対側の端部が最小となるように形成されている。すなわち支持体部１０は、シャッタＳの幅方向の外方から見た形状が、ヒンジ部２０から離れるにつれて先細となる台形形状をなし、シャッタＳの裏側へ突出して形成されている。
【００２３】
ヒンジ部２０は、図２〜図７に示すように、長さ方向で隣り合う支持体部１０,１０の板部１２と一体的に形成され、各支持体部１０を、重なり方向の表側で横並び状に連設している。そしてヒンジ部２０は、支持体部１０より薄肉に形成されて長さ方向で撓曲変形または折曲変形が可能となっており、支持体部１０の表側から離間した裏側が近接して、隣り合う一方の支持体部１０における第１梁部１４と他方の支持体部１０における第２梁部１６とが接触するまで変形が可能となっている。ヒンジ部２０を挟んで隣り合う両支持体部１０,１０の間隔は、前述したように該支持体部１０が台形形状に形成されていることで、シャッタＳの平坦状態において、ヒンジ部２０側が最も狭く、該ヒンジ部２０から離れるにつれて徐々に大きくなっている(図２)。そしてヒンジ部２０は、厚みが０.５ｍｍ程度に設定されており、必要な剛性を有する硬質の合成樹脂からなる成形材料により形成されていても、隣り合う支持体部１０,１０が互いに接触するまで撓曲変形または折曲変形し得ると共に、隣り合う支持体部１０,１０が互いに接触するまで折曲させた際でも塑性変形による破断が発生しないよう構成されている。
【００２４】
各支持体部１０の両端部１０Ａ,１０Ｂに設けた各摺動支持部３０は、図１〜図３に示すように、重なり方向においてヒンジ部２０より裏側に設けられ、第１当接部３２と、この第１当接部３２に対し長さ方向に離間して設けた第２当接部３４とを備えている。なお、両端部１０Ａ,１０Ｂに設けた各摺動支持部３０は幅方向で対称形状に形成されており、ここでは同一部位は同一符号を付して説明する。各摺動支持部３０の第１当接部３２は、支持体部１０における第１梁部１４の端部から水平に延出するように形成されて、幅方向において同一の軸線上に位置しており、第１梁部１４の端部に連設された腕部３２Ａと、該腕部３２Ａの先端に形成された当接突部３２Ｂとを備えている。当接突部３２Ｂは、図３および図４に示すように、長さ方向から見た形状が円形で前記ガイドレールＧＲ１,ＧＲ２の溝部１１４に突入可能な直径に形成されており、長さ方向の両端面が平面状に形成されると共に外周面が外方へ膨出する曲面状に形成され、溝部１１４の底面１１４Ａ、上面１１４Ｂおよび側面１１４Ｃの夫々に外周面が点接触するようになっている。腕部３２Ａは、縦断面形状が略矩形に形成されて、第１梁部１４に対して長さ方向および重なり方向の撓み変形が起こり難く構成されている。
【００２５】
各摺動支持部３０の第２当接部３４は、第１当接部３２と長さ方向において対称となる形状に形成されて、第２梁部１６の端部に連設された腕部３４Ａと、該腕部３４Ａの先端に形成された当接突部３４Ｂとを備えている。各第２当接部３４は、支持体部１０における第２梁部１６の端部から水平に延出するように形成されて、幅方向において同一の軸線上に位置しており、第２梁部１６の端部に連設された腕部３４Ａと、該腕部３４Ａの先端に形成された当接突部３４Ｂとを備えている。当接突部３４Ｂは、長さ方向から見た形状が円形で前記ガイドレールＧＲ１,ＧＲ２の溝部１１４に突入可能な直径に形成されており、長さ方向の両端面が平面状に形成されると共に外周面が外方へ膨出する曲面状に形成され、溝部１１４の底面１１４Ａ、上面１１４Ｂおよび側面１１４Ｃの夫々に外周面が点接触するようになっている。腕部３４Ａは、縦断面形状が略矩形に形成されて、第２梁部１６に対して長さ方向および重なり方向の撓み変形が起こり難く構成されている。
【００２６】
そして各支持体部１０は、図５に示すように、一端部１０Ａに設けた摺動支持部３０の第１当接部３２および第２当接部３４と他端部１０Ｂに設けた摺動支持部３０の第１当接部３２および第２当接部３４との計４つの当接部による４点支持態様により、一対のガイドレールＧＲ１,ＧＲ２に支持される。すなわち、一方の摺動支持部３０の各当接部３２,３４が一方のガイドレールＧＲ１における溝部１１４の底面１１４Ａに当接する当接ポイントＰ１,Ｐ２と、他方の摺動支持部３０の各当接部３２,３４が他方のガイドレールＧＲ２における溝部１１４の底面１１４Ａに当接する当接ポイントＰ３,Ｐ４とは、四角形に延在するライン(図５に一点鎖線で表示)の各角部に位置する関係となっている。従って各支持体部１０は、板部１２に対して重なり方向から荷重が加わった際に、幅方向に延在する軸線Ｊを中心とした回転変位が規制されて安定的に支持される構造となっている。なお、計４つの前記当接部うちの少なくとも３つ以上の当接部が一対のガイドレールＧＲ１,ＧＲ２に当接すれば、支持体部１０は軸線Ｊを中心として回転変位することが規制されて安定的に支持される。
【００２７】
シャッタ基材ＳＢには、図１および図２に示すように、前から３番目に位置する支持体部１０および該支持体部１０から後方へ１つおきに位置する合計９個の支持体部１０における幅方向の両端部に、係止手段６０を構成する係止爪部(係止部)６２が、上方へ突出した状態で設けられている。すなわち、支持体部１０における左端部に設けたられた各係止爪部６２および右端部に設けられた各係止爪部６２は、上方へ突出すると共に折曲した倒立Ｌ形に形成され、板部１２の左端部から垂直に立ち上がった基部６４と、基部６４の上端から水平に延出して該板部１２の上方に離間して位置する係止片６６とを備えている。支持体部１０の左端部および右端部に設けたられた各係止爪部６２は、シャッタ基材ＳＢの長さ方向へ直列に配置され、後述するように、パッド部材ＰＤに対して該パッド部材ＰＤがシャッタ基材ＳＢから離れる方向で引掛かるように構成されている。なお、各係止爪部６２は、ヒンジ部２０にかかるように設けられていないので、シャッタ基材ＳＢの屈伸変形は阻害されない。
【００２８】
前記パッド部材ＰＤは、図１〜図３に示すように、シャッタ基材ＳＢの一面を被覆する矩形板状に発泡成形されて弾力性を有する発泡体４０と、この発泡体４０の表面を被覆するように配設されて可撓性を有する表皮材５０とを備え、前記シャッタ基材ＳＢより弾力性および柔軟性が高く構成されている。これによりパッド部材ＰＤは、シャッタ基材ＳＢの平坦状態および湾曲状態の屈伸変形に追従して、平坦状および湾曲状に弾性変形が可能となっている。
【００２９】
発泡体４０は、例えば連続気泡構造をなす軟質のポリウレタンフォームであって、曲げや捻りおよび圧縮に対して軟らかく、かつ充分な復元性を有しており、前記シャッタ基材ＳＢよりかなり軟らかく形成されている。この発泡体４０は、図１および図２に示すように、長さがシャッタ基材ＳＢの長さと同じく、幅が支持体部１０の幅と同じであり、厚みはシャッタ基材ＳＢの厚みと略同じで、全体が略同じ厚みの矩形板状となっている。発泡体４０の幅方向の左側面は、シャッタ基材ＳＢ側に近づくにつれて右方へ変位する傾斜面となっていると共に、該発泡体４０の幅方向の右側面は、シャッタ基材ＳＢに近づくにつれて左方へ変位する傾斜面となっている。また、発泡体４０の長さ方向の前端面はおよび後端面は、シャッタ基材ＳＢの板部１２に対して垂直な垂直面となっている。なお発泡体４０は、(１)注型発泡成形方法により前記形状に発泡成形したもの、(２)予め発泡成形された発泡製造体(スラブ)を後加工により前記形状に裁断したもの等、様々な製造方法により成形されたものが実施可能である。
【００３０】
表皮材５０は、パッド部材ＰＤの表側を構成する上表皮部５１、該パッド部材ＰＤの左側面を構成する左表皮部５２および右側面を構成する右表皮部５３、該パッド部材ＰＤの前端面を構成する前表皮部５４および後端面を構成する後表皮部５５、該パッド部材ＰＤの裏側(シャッタ基材ＳＢ側)を構成する下表皮部５６とを有している。前記左表皮部５２は、上表皮部５１からシャッタ基材ＳＢに近づくにつれて右方へ変位するよう傾斜状に形成されていると共に、右表皮部５３は、上表皮部５１からシャッタ基材ＳＢに近づくにつれて左方へ変位するよう傾斜状に形成されている。また、前記前表皮部５４は、上表皮部５１からシャッタ基材ＳＢに向けて垂直に形成されていると共に、後表皮部５５は、上表皮部５１からシャッタ基材ＳＢに向けて垂直に形成されている。
【００３１】
前記表皮材５０は、(Ａ)ポリ塩化ビニル(ＰＶＣ)や熱可塑性ポリウレタン(ＴＰＵ)等の合成樹脂製のもの、(Ｂ)ファブリックやトリコット等の布製のもの、(Ｃ)本革製のもの等が選択的に実施可能である。なお(Ａ)の表皮材５０は、樹脂シートから真空成形したもの、樹脂粉末からパウダースラッシュ成形したもの、ウレタンをスプレー成形したものが採用可能である。また、(Ｂ)および(Ｃ)の表皮材５０は、複数の表皮片を前記形状に立体的に縫合したものが採用可能である。このような表皮材５０は、前記発泡体４０よりは硬く、前記シャッタ基材ＳＢよりはかなり軟らかく形成されている。また表皮材５０は、該表皮材５０の厚み方向へは容易に撓曲変形および屈曲変形するが、面方向へは伸縮変形し難いものも採用できる。なお、(Ａ)〜(Ｃ)の表皮材５０は、前述した(１)および(２)の発泡体４０に対して接着剤等により貼り込んで装着することが可能である。また、(Ａ)および(Ｂ)の表皮材５０は、前述した(１)の発泡体４０に対して、発泡成形型内にセットして発泡体４０を発泡成形することで成形された該発泡体４０に装着することが可能である。
【００３２】
前記発泡体４０および表皮材５０から構成されたパッド部材ＰＤは、図２および図３に示すように、シャッタ基材ＳＢに相対する下面ＰＤ６は、該シャッタ基材ＳＢの板部１２の表面に全体的に接触し得る面形状に形成されている。また、パッド部材ＰＤにおける長さ方向に沿う左側面ＰＤ２および右側面ＰＤ３は、下面ＰＤ６側から上面ＰＤ１側に近づくにつれて互いに離れるように斜めに設けられており、上面ＰＤ１の幅は下面ＰＤ２の幅より大きくなっている。また、パッド部材ＰＤにおける前面ＰＤ４および後面ＰＤ５は、下面ＰＤ６に対して垂直に設けられており、上面ＰＤ１の長さと下面ＰＤ６の長さは同じになっている。
【００３３】
前述のように構成されたパッド部材ＰＤは、その前面ＰＤ４をシャッタ基材ＳＢの前端に一致させた状態で、両面テープや接着剤等を利用して前側部分だけを固定部分ＰＤａとしてシャッタ基材ＳＢにおける板部１２表面に固定される。なお実施例では、シャッタ基材ＳＢの前側に位置する２つの支持体部１０に相対する部分が固定部分ＰＤａとされている。従って、図７に示すように、シャッタＳがシャッタ基材ＳＢを内側にして湾曲状態に変形する場合には、該シャッタ基材ＳＢとパッド部材ＰＤとの間に周長差が生ずることにより、パッド部材ＰＤにおけるシャッタ基材ＳＢに固定されていない非固定部分ＰＤｂに対して、該シャッタ基材ＳＢが後方へ相対的に移動してずれることが許容されるようになっている。
【００３４】
図１〜図３に示すように、パッド部材ＰＤの左側面ＰＤ２および右側面ＰＤ３には、該パッド部材ＰＤ内へ嵌凹して長さ方向に延在する溝部７０が形成されている。左側面ＰＤ２に設けた溝部７０には、シャッタ基材ＳＢの左端に設けた各係止爪部６２の係止片６６が、該溝部７０に向けて左方から突入している。また、右側面ＰＤ３に設けた溝部７０には、シャッタ基材ＳＢの右端に設けた各係止爪部６２の係止片６６が、該溝部７０に向けて右方から突入している。
【００３５】
パッド部材ＰＤの左側面ＰＤ２および右側面ＰＤ３には、図１〜図３および図６に示すように、前記溝部７０の下面ＰＤ６側に隣接して、係止手段６０を構成する係止突部７２が、前記溝部７０の形成により、パッド部材ＰＤの側方へ突出すると共に該パッド部材ＰＤの長さ方向へ延在するように設けられている。左側面ＰＤ２に設けた係止突部７２は、シャッタ基材ＳＢにおける左端に設けた各係止爪部６２の係止片６６と該シャッタ基材ＳＢの板部１２との間に、幅方向において右方から係止され、これら係止爪部６２と係止突部７２とは重なり方向で引掛かっている。また、右側面ＰＤ３に設けた係止突部７２は、シャッタ基材ＳＢにおける右端に設けた各係止爪部６２の係止片６６と該シャッタ基材ＳＢの板部１２との間に、幅方向における左方から係止され、これら係止爪部６２と係止突部７２とは重なり方向で引掛かっている。
【００３６】
すなわち、パッド部材ＰＤの左側面ＰＤ２に設けた係止突部７２および右側面ＰＤ３に設けた係止突部７２は、シャッタ基材ＳＢの板部１２から離れる方向の移動は規制されるが、シャッタ基材ＳＢの板部１２に沿った長さ方向の移動は許容される。これにより、パッド部材ＰＤの非固定部分ＰＤｂは、シャッタ基材ＳＢに対して、該シャッタ基材ＳＢから離れる方向の移動が規制されると共に、長さ方向の移動は許容されるように構成されている。換言すると、シャッタＳがシャッタ基材ＳＢを内側にして湾曲状態に変形して、シャッタ基材ＳＢとパッド部材ＰＤとの間に周長差が生じた場合には、係止爪部６２が各係止突部７２に係止されながら相対的に長さ方向へ移動することで、パッド部材ＰＤの非固定部分ＰＤｂは、シャッタ基材ＳＢに接触した状態で該シャッタ基材ＳＢに対して前方へ相対的に移動してずれることが許容される。
【００３７】
また、パッド部材ＰＤの左側面ＰＤ２および右側面ＰＤ３には、図１〜図３および図６に示すように、前記溝部７０の上面ＰＤ１側に隣接して、パッド部材ＰＤの側方へ延出して該パッド部材ＰＤの長さ方向へ延在する当接突部(当接部)７４が形成されている。左側面ＰＤ２に設けた当接突部７４は、該左側面ＰＤ２に設けた係止突部７２に対して上方から相対して、シャッタ基材ＳＢにおける左端に設けた各係止爪部６２の係止片６６に対して、シャッタＳの平坦状態に対応したシャッタ基材ＳＢの平坦状の姿勢において上方から接触可能となっている。また、右側面ＰＤ３に設けた当接突部７４は、該右側面ＰＤ３に設けた係止突部７２に対して上方から相対して、シャッタ基材ＳＢにおける右端に設けた各係止爪部６２の係止片６６に対して、前記閉成位置で上方から接触可能となっている。
【００３８】
ここで、左側面ＰＤ２および右側面ＰＤ３に設けた当接突部７４は、図１、図２および図６に示すように、長さ方向において重なり方向へ凹凸した形状となっている。すなわち当接突部７４は、下方へ突出して係止突部７２との間隔が狭くなっている複数(実施例では９個)の当接面７６と、各当接面７６の後方に位置して係止突部７２との間隔が該当接面７６より広くなっている複数(実施例では９個)の非当接面７８とが、長さ方向へ交互に設けられている。各当接面７６は、シャッタＳの平坦状態に対応したシャッタ基材ＳＢの平坦状の姿勢において、各係止爪部６２における係止片６６の上方に位置するようになっている(図１、図６(ａ))。また各非当接面７８は、シャッタＳが平坦状態と湾曲状態と変位してシャッタ基材ＳＢが平坦状から変形すると、パッド部材ＰＤがシャッタ基材ＳＢに対して長さ方向でずれることで、各係止爪部６２における係止片６６の上方に位置するようになっている(図６(ｂ)、図７)。そして、図６(ａ)に示すように、当接面７６と係止突部７２との重なり方向での間隔Ｈ１は、係止爪部６２における係止片６６の厚みＴと同じか略同じに設定されている。これにより、シャッタＳが閉成位置において平坦状態となった場合には、各係止爪部６２の係止片６６が当接突部７４と係止突部７２とで重なり方向から挟持され、パッド部材ＰＤの非固定部分ＰＤｂが該シャッタ基材ＳＢにがたつきなく保持される。また、非当接面７８と係止突部７２との重なり方向での間隔Ｈ２は、係止爪部６２における係止片６６の厚みＴより大きく設定されている。これにより、シャッタＳが閉成位置から外れた位置において部分的に湾曲したり全体が湾曲状態となった場合には、各係止爪部６２の係止片６６が当接突部７４と係止突部７２とで重なり方向から挟持されず、シャッタ基材ＳＢに対するパッド部材ＰＤの長さ方向への移動が円滑になされる。
【００３９】
なお実施例のシャッタＳは、パッド部材ＰＤにおける上面ＰＤ１の前縁近傍に、指先を引っ掛けることが可能な指掛部材５８が装着されている。従って、指掛部材５８を指先で把持することで、シャッタＳの開閉操作を簡易に行ない得る。
【００４０】
前述のように構成された実施例のシャッタＳは、各支持体部１０の一端部１０Ａに設けた各摺動支持部３０の第１当接部３２および第２当接部３４を一方のガイドレールＧＲ１の溝部１１４に各々突入して係合させると共に、各支持体部１０の他端部１０Ｂに設けた各摺動支持部３０の第１当接部３２および第２当接部３４を他方のガイドレールＧＲ２の溝部１１４に各々突入して係合させることで、スライド移動が可能にコンソール本体１００に配設される。そしてシャッタＳは、図１〜図３に示すように、物品収納部１０２の上部開口１０４を閉じるように閉成位置までスライド移動させると、各支持体部１０の摺動支持部３０,３０が各ガイドレールＧＲ１,ＧＲ２の直線部１１０に位置するので、シャッタ基材ＳＢおよび該シャッタ基材ＳＢの上に位置するパッド部材ＰＤは何れも平坦状となり、全体が一枚の平板の如く平坦状態となって上部開口１０４を全体的に覆蓋する。そして、シャッタ基材ＳＢの左右両端に設けた各係止爪部６２の係止片６６が、該パッド部材ＰＤの左側面ＰＤ２および右側面ＰＤ３に設けた各係止突部７２および各当接突部７４により重なり方向で挟持されるので、パッド部材ＰＤの非固定部分ＰＤｂがシャッタ基材ＳＢにがたつくことなく保持されている。特に、パッド部材ＰＤが発泡体４０および表皮材５０から形成されているので、各係止爪部６２の係止片６６は、係止突部７２および当接突部７４で弾力的に支持され得る。
【００４１】
従って、実施例のシャッタＳによれば、シャッタ基材ＳＢの表面側に、弾力性を有する発泡体４０および可撓性を有する表皮材５０から構成されたパッド部材ＰＤが配設されているので、シャッタ基材ＳＢがパッド部材ＰＤで隠れてシャッタＳの質感が高くなっている。そしてシャッタＳは、上部開口１０４を閉じた閉成位置となった際に平坦状態となり、弾力性を有するパッド部材ＰＤがシャッタ基材ＳＢの上方に位置するため、アームレストとして好適に実施し得る。すなわちシャッタＳは、重なり方向において上方から荷重が加わった際に、該シャッタＳを構成する各支持体部１０が、一端部１０Ａおよび他端部１０Ｂの夫々に設けた摺動支持部３０,３０における長さ方向に並べて２つずつ設けた各第１当接部３２および各第２当接部３４の計４つのうちの３つ以上で、一対のガイドレールＧＲ１,ＧＲ２に支持される。このため、支持体部１０は幅方向に延在する軸線Ｊを中心として回転変位し難く、各支持体部１０に荷重が加わった際に該支持体部１０を繋ぐヒンジ部２０に応力が集中し難いので、該ヒンジ部２０を薄く形成することが可能となる。
【００４２】
また実施例のシャッタＳは、閉成位置からコンソール本体１００の後方に向けてスライド移動させる際に、図７に示すように、長さ方向における後側の支持体部１０から各ガイドレールＧＲ１,ＧＲ２の曲線部１１２に順次移動するようになる。これにより、シャッタ基材ＳＢの前記曲線部１１２に位置する部位では、各ヒンジ部２０が屈曲変形することで、一方の支持体部１０に対して他方の支持体部１０が互いに近づくように姿勢変位し、該シャッタ基材ＳＢは曲線部１１２の曲率に合わせて湾曲状態に変形するようになる。そして、シャッタ基材ＳＢより軟らかいパッド部材ＰＤは、係止爪部６２および係止突部７２の重なり方向での引掛かりにより、該シャッタ基材ＳＢの湾曲状態への変形に追従して湾曲状態に変形する。しかも実施例のシャッタＳは、パッド部材ＰＤの左側面ＰＤ２および右側面ＰＤ３に長さ方向に沿って設けた各係止突部７２を、シャッタ基材ＳＢの左端部および右端部に長さ方向に直列に設けた各係止爪部６２で重なり方向から係止する係止手段６０を採用したので、パッド部材ＰＤの非固定部分ＰＤｂは、シャッタ基材ＳＢに接触した状態で長さ方向へスムーズに移動する。しかも、左右の各係止爪部６２によりパッド部材ＰＤの左側面ＰＤ２および右側面ＰＤ３が長さ方向に沿って係止されるので、パッド部材ＰＤが幅方向へずれることが防止されると共に、該パッド部材ＰＤの左側面ＰＤ２および右側面ＰＤ３がシャッタ基材ＳＢから離間して捲れることも防止し得る。なおパッド部材ＰＤは、厚み方向の中央に位置する溝部７０より下面ＰＤ６の側が長さ方向で圧縮し、該溝部７０より上面ＰＤ１の側が長さ方向で伸長が、溝部７０では殆ど変形しないので、係止爪部６２の係止片６６と係止突部７２との係止状態は適切に維持される。
【００４３】
従って、実施例のシャッタＳによれば、シャッタ基材ＳＢを内側として湾曲状態に変形するに際し、パッド部材ＰＤは長さ方向へ引っ張られないので、シャッタＳの湾曲状態への変形が阻害されることなく該シャッタＳのスムーズな開閉が可能となる。また、パッド部材ＰＤの表皮材５０や発泡体４０が長さ方向へ引っ張られないので、これら表皮材５０や発泡体４０に亀裂が発生し難くなると共に、該表皮材５０と発泡体４０との剥離も防止し得る。
【００４４】
更に、実施例のシャッタＳによれば、シャッタ基材ＳＢに設けた各係止爪部６２がパッド部材ＰＤに設けた各係止突部７２に対して引掛かることで、パッド部材ＰＤがシャッタ基材ＳＢだけに保持されているから、該シャッタ基材ＳＢがガイドレールＧＲ１,ＧＲ２に沿ってスライド移動する際に、該パッド部材ＰＤが適切にスライド移動する。すなわち、パッド部材ＰＤがシャッタ基材ＳＢ用のガイドレールＧＲ１,ＧＲ２とは別のパッド部材用のガイドレールにスライド移動可能に支持された構成のシャッタの場合では、パッド部材用のガイドレールに対するパッド部材のスライド不良が発生するとシャッタのスライド不良が発生してしまうが、実施例のシャッタＳではパッド部材ＰＤを原因としたスライド不良が発生することがない。しかも、シャッタ基材ＳＢに設けた各係止爪部６２がパッド部材ＰＤに設けた各係止突部７２に対して引掛かっているので、該パッド部材ＰＤの変形がパッド部材用のガイドレールの延在形状に依存するものではないから、シャッタ基材ＳＢの屈伸変形に対してパッド部材ＰＤを適切かつ確実に変形させることができる。
【００４５】
(変更例)
（１）実施例では、係止手段６０として、シャッタ基材ＳＢの左右両端に各々９個ずつの係止爪部６２を設けたが、該係止突部７２の配設数はこれに限定されず、パッド部材ＰＤのサイズに応じて変更可能である。また実施例では、シャッタ基材ＳＢの左端および右端に設けた各々９個ずつの係止爪部６２は長さ方向へ等間隔に配置したが、各係止爪部６２の配置間隔が等間隔でなくてもよい。
（２）実施例では、パッド部材ＰＤの左側面ＰＤ２および右側面ＰＤ３に設けた各係止突部７２が、パッド部材ＰＤの長さ方向へ連続して９個の各係止爪部６２が係止する形態を例示したが、係止突部７２は、各係止爪部６２に対応して断続して設けるようにしてもよい。
（３）係止手段６０は、パッド部材ＰＤの非固定部分ＰＤｂを、シャッタ基材ＳＢの板部１２から離間移動することを規制し、該板部１２の表面に沿った長さ方向への移動を許容するものであれば、実施例に例示した形態に限定されない。例えば、図９に示すように、パッド部材ＰＤにおけるシャッタ基材ＳＢに相対する下面ＰＤ６に被係止部７２を設け、シャッタ基材ＳＢにおける板部１２の表面に、該被係止部７２に係止する鈎状の係止部６２を設けても、前記実施例と同等の作用効果が得られる。
（４）実施例では、シャッタＳにおける上部開口１０４を閉じた閉成位置での姿勢を、全体が平坦状態となった場合を例示したが、この閉成位置での姿勢とはこれに限らず、例えば長さ方向において全体が緩やかに曲がっている状態や、略全体が平坦で後側の一部だけが円弧状に湾曲している状態等であってもよい。
（５）実施例では、パッド部材ＰＤを構成する発泡体４０としてポリウレタンフォームを例示したが、弾力性を有して外力により好適に圧縮変形すると共に適切な復元性を有するものであれば、該発泡体４０はスポンジやゴム等であってもよい。
（６）シャッタ基材ＳＢの支持体部１０の配設数は、実施例に例示の数に限定されず、上部開口１０４の開口サイズに応じて増減する。
（７）シャッタ基材ＳＢは、支持体部１０、ヒンジ部２０および摺動支持部３０が一体成形されたものに限定されず、図１１および図１２に例示した従来のシャッタＳ１のような構成であってもよい。
（８）本願のシャッタＳは、実施例で例示した自動車の乗員室内に設置されるフロアコンソールＦＣ以外にも実施可能である。
【符号の説明】
【００４６】
１０ 支持体部，２０ ヒンジ部，４０ 発泡体，５０ 表皮材，６２ 係止爪部(係止部)
６６ 係止片，７０ 溝部，７２ 係止突部(被係止部)，７４ 当接突部(当接部)
１０２ 物品収納部，１０４ 上部開口(開口)，ＧＲ１,ＧＲ２ ガイドレール
ＰＤ パッド部材，ＰＤ２ 左側面，ＰＤ３ 右側面，ＳＢ シャッタ基材
【図１】
0005763422.tif 000002
【図２】
0005763422.tif 000003
【図３】
0005763422.tif 000004
【図４】
0005763422.tif 000005
【図５】
0005763422.tif 000006
【図６】
0005763422.tif 000007
【図７】
0005763422.tif 000008
【図８】
0005763422.tif 000009
【図９】
0005763422.tif 000010
【図１０】
0005763422.tif 000011
【図１１】
0005763422.tif 000012
【図１２】
0005763422.tif 000013